(57)【要約】 【課題】  耐衝撃性等に優れていながら、表示不具合等が生じ難く、信頼性の高い電気光学装置を提供する。【解決手段】  本発明の電気光学装置は、一対の基板３０，３０間に電気光学層３４を有してなる電気光学パネル２８と、前記基板３０の少なくとも一方に対して取り付けられ、前記電気光学パネル２８を保護する保護部材１９とを備え、前記保護部材１９は、透光性基板１８と、該透光性基板１８に設けられた凹部１８ａに配設されてなる遮光部材１７とを具備してなることを特徴とする。【選択図】    図３
2007086290.tif 000002
【特許請求の範囲】
【請求項１】
一対の基板間に電気光学層を有してなる電気光学パネルと、前記基板の少なくとも一方に対して取り付けられ、前記電気光学パネルを保護する保護部材とを備え、
前記保護部材は、透光性基板と、該透光性基板に設けられた凹部に配設されてなる遮光部材とを具備してなることを特徴とする電気光学装置。
【請求項２】
一対の基板間に電気光学層を有してなる電気光学パネルと、前記基板の少なくとも一方に対して取り付けられ、前記電気光学パネルを保護する保護部材とを備え、
前記保護部材は、透光性基板と、該透光性基板上に形成された所定パターンの遮光部材と、該遮光部材で取り囲まれた透光部材とを具備してなることを特徴とする電気光学装置。
【請求項３】
一対の基板間に電気光学層を有してなる電気光学パネルと、前記基板の少なくとも一方に対して取り付けられ、前記電気光学パネルを保護する保護部材とを備え、
前記保護部材は、透光性基板と、該透光性基板上に形成された所定パターンの遮光部材、および該遮光部材で取り囲まれた透光部材と、該遮光部材及び透光部材のそれぞれの上に形成された平坦化層とを具備してなることを特徴とする電気光学装置。
【請求項４】
前記遮光部材が前記電気光学パネルの外環の一部又は全部を遮光するように、前記保護部材と前記電気光学パネルとがアライメントされてなることを特徴とする請求項１ないし３のいずれか１項に記載の電気光学装置。
【請求項５】
前記電気光学パネルと前記保護部材とが、厚さ３０μｍ以上の接着層を介して貼り付けられてなることを特徴とする請求項１ないし４のいずれか１項に記載の電気光学装置。
【請求項６】
電気光学パネルを保護する保護部材であって、
透光性基板と、該透光性基板に設けられた凹部に配設されてなる遮光部材とを具備してなることを特徴とする保護部材。
【請求項７】
電気光学パネルを保護する保護部材であって、該保護部材は
透光性基板と、該透光性基板上に形成された所定パターンの遮光部材と、該遮光部材で取り囲まれた透光部材とを具備してなることを特徴とする保護部材。
【請求項８】
電気光学パネルを保護する保護部材であって、
透光性基板と、該透光性基板上に形成された所定パターンの遮光部材、および該遮光部材で取り囲まれた透光部材と、該遮光部材及び透光部材のそれぞれの上に形成された平坦化層とを具備してなることを特徴とする保護部材。
【請求項９】
請求項１ないし５のいずれか１項に記載の電気光学装置を備えることを特徴とする電子機器。
【発明の詳細な説明】
【技術分野】
【０００１】
本発明は、電気光学装置、保護部材、および電子機器に関する。
【背景技術】
【０００２】
近年、携帯電話、ページャー、ＰＤＡ、ノートパソコンといった携帯用の情報通信機器の普及が著しい。また、このような機器における表示装置として液晶表示装置等の電気光学装置が用いられることが多い。
【０００３】
携帯用の情報通信機器においては、携帯のための要請として、小型、軽量でありながら、耐衝撃性を備えることが特に強く求められる。そして、携帯用情報通信機器において、通常最も衝撃に弱い部分の１つが電気光学装置である。そのため、電気光学装置の耐衝撃性を高めるために、例えば特許文献１には、電気光学装置に対して保護部材を設ける技術が開示されている。
【特許文献１】特開２０００−１２２０３７号公報
【発明の開示】
【発明が解決しようとする課題】
【０００４】
しかしながら、電気光学装置の表示に対して部分的な遮光性、或いは装飾性を持たせるために、例えば透光性基板に着色印刷を付与した構成の保護部材を用いる場合がある。このような保護部材を用いると、印刷部において段差が生じてしまい、当該保護部材と電気光学装置との貼り付け時に、接着界面に気泡が混入する場合がある。そして、このように気泡が混入すると、表示不具合が生じたり、或いは接着不良等の問題が生じる場合もある。
【０００５】
本発明は、上記のような問題点に鑑みてなされたものであって、その目的は、耐衝撃性等に優れていながら、表示不具合等が生じ難く、信頼性の高い電気光学装置を提供することにあり、またそれを用いた電子機器を提供することを目的としている。また、本発明は、電気光学パネルを保護するのに好適で、当該電気光学パネルと接着して一体化した場合にも、表示不具合等が生じ難く、信頼性の高い保護部材を提供することを目的としている。
【課題を解決するための手段】
【０００６】
上記課題を解決するために、本発明の電気光学装置は、その第１の態様として、一対の基板間に電気光学層を有してなる電気光学パネルと、前記基板の少なくとも一方に対して取り付けられ、前記電気光学パネルを保護する保護部材とを備え、前記保護部材は、透光性基板と、該透光性基板に形成された凹部に埋め込まれてなる遮光部材とを具備してなることを特徴とする。
【０００７】
このような電気光学装置によると、保護部材により当該電気光学装置内の電気光学パネルに対して耐衝撃性を具備させることが可能となるとともに、保護部材に具備された遮光部材により電気光学装置に遮光性又は装飾性（所定の遮光パターンによる装飾）を付与することができ、しかも該遮光部材を透光性基板に設けた凹部に配設してなるため、遮光部材付与に基づく段差が形成され難いものとなる。つまり、遮光部材の厚さを凹部の深さで相殺することができ、該厚さと深さを同じ値に設計すれば、透光性基板の表面と遮光部材の表面とを面一に設計することが可能となるのである。その結果、当該保護部材を電気光学パネルに接着等により取り付けた場合にも、該取り付け界面（接着界面）に気泡等が混入して表示不良を引き起こしたり、取り付け力（接着力）の低下を引き起こしたりする問題が生じ難いものとなり、ひいては信頼性の高い電気光学装置を提供することが可能となる。
【０００８】
また、上記課題を解決するために、本発明の電気光学装置は、その第２の態様として、一対の基板間に電気光学層を有してなる電気光学パネルと、前記基板の少なくとも一方に対して取り付けられ、前記電気光学パネルを保護する保護部材とを備え、前記保護部材は、透光性基板と、該透光性基板上に形成された所定パターンの遮光部材と、該遮光部材で取り囲まれた透光部材とを具備してなることを特徴とする。
【０００９】
このような電気光学装置によると、保護部材により当該電気光学装置内の電気光学パネルに対して耐衝撃性を具備させることが可能となるとともに、保護部材に具備された遮光部材により電気光学装置に遮光性又は装飾性（所定の遮光パターンによる装飾）を付与することができ、しかも該遮光部材が透光部材を取り囲んで構成されてなるため、遮光部材付与に基づく段差が形成され難いものとなる。つまり、遮光部材の厚さを透光部材の厚さで相殺することができ、両部材の厚さを同じ値に設計すれば、当該保護部材の表面を面一に設計することが可能となるのである。その結果、当該保護部材を電気光学パネルに接着等により取り付けた場合にも、該取り付け界面（接着界面）に気泡等が混入して表示不良を引き起こしたり、取り付け力（接着力）の低下を引き起こしたりする問題が生じ難いものとなり、ひいては信頼性の高い電気光学装置を提供することが可能となる。
【００１０】
また、上記課題を解決するために、本発明の電気光学装置は、その第３の態様として、一対の基板間に電気光学層を有してなる電気光学パネルと、前記基板の少なくとも一方に対して取り付けられ、前記電気光学パネルを保護する保護部材とを備え、前記保護部材は、透光性基板と、該透光性基板上に形成された所定パターンの遮光部材、および該遮光部材で取り囲まれた透光部材と、該遮光部材及び透光部材のそれぞれの上に形成された平坦化層とを具備してなることを特徴とする。
【００１１】
このような電気光学装置によると、保護部材により当該電気光学装置内の電気光学パネルに対して耐衝撃性を具備させることが可能となるとともに、保護部材に具備された遮光部材により電気光学装置に遮光性又は装飾性（所定の遮光パターンによる装飾）を付与することができ、しかも該遮光部材が透光部材を取り囲んで構成されてなり、且つこれら遮光部材と透光部材との上に平坦化層を形成してなるため、遮光部材付与に基づく段差が形成され難いものとなる。つまり、遮光部材の厚さを透光部材の厚さで相殺することができ、両部材の厚さを同じ値に設計すれば表面を面一に設計することが可能となり、仮に厳密には面一でない場合でも平坦化層を形成しているため、当該保護部材の表面の平坦性は非常に高いものとなるのである。その結果、当該保護部材を電気光学パネルに接着等により取り付けた場合にも、該取り付け界面（接着界面）に気泡等が混入して表示不良を引き起こしたり、取り付け力（接着力）の低下を引き起こしたりする問題が生じ難いものとなり、ひいては信頼性の高い電気光学装置を提供することが可能となる。
【００１２】
なお、本発明に言う遮光部材は、電気光学装置からの光（表示）を完全に遮光するものの他、一部を遮光する半遮光性のものも含むものである。また、黒色の遮光部材の他、所定のカラー色（例えば赤、青、緑等）に着色した着色部材も含むものである。
【００１３】
また、本発明の電気光学装置において、前記遮光部材が前記電気光学パネルの外環の一部又は全部を遮光するように、前記保護部材と前記電気光学パネルとがアライメントされてなるものとすることができる。このように遮光部材と電気光学パネルをアライメントすることで、電気光学パネルの外環を確実に遮光することができ、当該電気光学装置の見栄えを向上することができるようになる。
【００１４】
また、本発明の電気光学装置において、前記電気光学パネルと前記保護部材とが、厚さ３０μｍ以上の接着層を介して貼り付けられてなるものとすることができる。接着層の厚さは、好ましくは５０μｍ以上とするのが良い。
【００１５】
次に、上記課題を解決するために、本発明の保護部材の第１の態様は、電気光学パネルを保護する保護部材であって、透光性基板と、該透光性基板に形成された凹部に埋め込まれてなる遮光部材とを具備してなることを特徴とする。
【００１６】
このような保護部材により、電気光学パネルの表示面を外部からの衝撃等から好適に保護することが可能となる。また、遮光部材のパターンにしたがって電気光学パネルに対して遮光性又は装飾性（所定の遮光パターンによる装飾）を付与することができ、しかも該遮光部材を透光性基板に設けた凹部に配設してなるため、遮光部材付与に基づく段差が形成され難いものとなる。つまり、遮光部材の厚さを凹部の深さで相殺することができ、該厚さと深さを同じ値に設計すれば、透光性基板の表面と遮光部材の表面とを面一に設計することが可能となるのである。その結果、当該保護部材を電気光学パネルに接着等により取り付けた場合にも、該取り付け界面（接着界面）に気泡等が混入して表示不良を引き起こしたり、取り付け力（接着力）の低下を引き起こしたりする問題が生じ難いものとなり、ひいては信頼性の高い保護部材付き電気光学パネル（電気光学装置）を提供することが可能となる。
【００１７】
次に、上記課題を解決するために、本発明の保護部材の第２の態様は、電気光学パネルを保護する保護部材であって、該保護部材は、透光性基板と、該透光性基板上に形成された所定パターンの遮光部材と、該遮光部材で取り囲まれた透光部材とを具備してなることを特徴とする。
【００１８】
このような保護部材により、電気光学パネルの表示面を外部からの衝撃等から好適に保護することが可能となる。また、遮光部材のパターンにしたがって電気光学パネルに対して遮光性又は装飾性（所定の遮光パターンによる装飾）を付与することができ、しかも該遮光部材が透光部材を取り囲む構成としたため、遮光部材付与に基づく段差が形成され難いものとなる。つまり、遮光部材の厚さを透光部材の厚さで相殺することができ、両部材の厚さを同じ値に設計すれば、当該保護部材の表面を面一に設計することが可能となるのである。その結果、当該保護部材を電気光学パネルに接着等により取り付けた場合にも、該取り付け界面（接着界面）に気泡等が混入して表示不良を引き起こしたり、取り付け力（接着力）の低下を引き起こしたりする問題が生じ難いものとなり、ひいては信頼性の高い保護部材付き電気光学パネル（電気光学装置）を提供することが可能となる。
【００１９】
次に、上記課題を解決するために、本発明の保護部材の第３の態様は、電気光学パネルを保護する保護部材であって、透光性基板と、該透光性基板上に形成された所定パターンの遮光部材、および該遮光部材で取り囲まれた透光部材と、該遮光部材及び透光部材のそれぞれの上に形成された平坦化層とを具備してなることを特徴とする。
【００２０】
このような保護部材により、電気光学パネルの表示面を外部からの衝撃等から好適に保護することが可能となる。また、遮光部材のパターンにしたがって電気光学パネルに対して遮光性又は装飾性（所定の遮光パターンによる装飾）を付与することができ、しかも該遮光部材が透光部材を取り囲む構成とし、且つこれら遮光部材と透光部材との上に平坦化層を形成してなるため、遮光部材付与に基づく段差が形成され難いものとなる。つまり、遮光部材の厚さを透光部材の厚さで相殺することができ、両部材の厚さを同じ値に設計すれば表面を面一に設計することが可能となり、仮に厳密には面一でない場合でも平坦化層を形成しているため、当該保護部材の表面の平坦性は非常に高いものとなるのである。その結果、当該保護部材を電気光学パネルに接着等により取り付けた場合にも、該取り付け界面（接着界面）に気泡等が混入して表示不良を引き起こしたり、取り付け力（接着力）の低下を引き起こしたりする問題が生じ難いものとなり、ひいては信頼性の高い保護部材付き電気光学パネル（電気光学装置）を提供することが可能となる。
【００２１】
一方、上記課題を解決するために、本発明の電子機器は、上記記載の電気光学装置を備えることを特徴とする。このような保護部材付き電気光学装置は、例えば電子機器の表示部として構成することができる。そして、当該電気光学装置を備える電子機器は、耐衝撃性が高く、携帯電話、ページャー、ＰＤＡ、ノートパソコンといった携帯用の情報通信機器として好適なものとなる。
【発明を実施するための最良の形態】
【００２２】
以下、本発明の好適な実施形態について、図面を参照しながら、さらに具体的に説明する。なお、各図においては、各層や各部材を図面上で認識可能な程度の大きさとするため、各層や各部材毎に縮尺を異ならせてある。
【００２３】
〔第１実施形態〕
図１は、本発明の電子機器の一実施形態である携帯電話機１０の全体構成を模式的に示す斜視図、図２は、携帯電話機１０の表示部付近の断面構成を模式的に示す断面図、図３は、該携帯電話機１０に備えられた表示装置（電気光学装置）の断面構成を模式的に示す断面図である。
【００２４】
図１に示すように、本実施形態の携帯電話機１０は、プラスチック製の筐体１４と、該筐体１４から表出してなる表示部１、操作部（操作ボタン）２、アンテナ３とを備えて構成されている。表示部１は、図２に示すような断面構成を有し、筐体１４の表示用窓１４ｅ（図１参照）から外部に晒されてなる表示装置（電気光学装置）１ａと、筐体１４内に組み込まれてなるバックライト４０とを主体として構成されている。なお、バックライト４０は、所定の回路基板４４を介して筐体１４に保持されている。
【００２５】
表示装置１ａは、本実施形態では液晶装置から構成されており、液晶パネル（電気光学パネル）２８と、保護部材１９と、該保護部材１９を液晶パネル２８に取り付ける接着層２２とを有している。ここで、表示装置１ａは、保護部材１９の側面を携帯電話機１０の筐体１４に接着する形で、該携帯電話機１０に取り付けられている。なお、例えば図７に示すように、筐体１４の表示用窓１４ａにおいて段差部１４ｂを形成する一方、保護部材１９の透光性基板１８に突出部１８ｂを形成し、該突出部１８ｂを筐体１４の段差部１４ｂに対して嵌め込む方法で、表示装置１ａを携帯電話機１０に取り付けるものとしても良い。
【００２６】
液晶パネル２８は、図３に示すように、２枚の透明な基板３０，３０と、それぞれの基板３０，３０に貼付された偏光板３１，３１と、周囲を封止するシール材３２と、それらにより形成される空間に封入された液晶（電気光学層）３４を含んで構成される。２枚の基板３０は、それぞれガラスまたはプラスチックのいずれかで形成されている。
【００２７】
なお、液晶パネル２８は、駆動方式で言えば、パネル自体にスイッチング素子を用いない単純マトリックス液晶表示パネルやスタティック駆動液晶表示パネル、またＴＦＴで代表される三端子スイッチング素子あるいはＭＩＭで代表される二端子スイッチング素子を用いたアクティブマトリックス液晶表示パネル、電気光学特性で言えば、ＴＮ形、ＳＴＮ形、ゲストホスト形、相転移形、強誘電形など、種々のタイプの液晶パネルを用いることができる。
【００２８】
一方、接着層２２を介して液晶パネル２８に取り付けられた保護部材１９は、アクリル樹脂で形成され、可視光を十分透過し、例えば１ｍｍ〜２ｍｍ程度の厚さを有した透光性基板１８を主体として構成され、携帯時の落下衝撃等に耐えうる強度を有している。本実施形態においては、保護部材１９は、携帯電話機１０の筐体１４の一部分を構成している。
【００２９】
また、透光性基板１８は、その一主面の外縁を切り欠いてなる段差部（凹部若しくは溝部）１８ａを有しており、その段差部１８ａには遮光部材１７が配設されている。ここで、保護部材１９と液晶パネル２８は、透光性基板１８の段差部１８ａに配設される遮光部材１７が液晶パネル２８の外環の一部又は全部を遮光するように、アライメントされてなり、本実施形態では、液晶パネル２８のシール材３２を少なくとも遮光する形でアライメントされている。つまり、透光性基板１８の段差部１８ａが、液晶パネル２８の外環の一部又は全部に沿って位置合わせできるパターンで形成されている。
【００３０】
アライメントは、具体的には、図６に示すように、保護部材１９の遮光部材１７に重畳する位置に形成したアライメントマーク４１と、液晶パネル２８のシール材３２に重畳する位置に形成したアライメントマーク４２とを重ね合わせることにより行うものとしている。なお、アライメント後には、液晶パネル２８の外部接続端子を有する回路基板１２は、保護部材１９から外部に剥き出しとなるものとなっている。
【００３１】
段差部１８ａの深さは、遮光部材１７の厚さに対応して設計され、ここでは形成する遮光部材１７の厚さと同じ深さとなるように設計されている。具体的には、０．０５ｍｍ〜０．２ｍｍ（例えば０．１ｍｍ）の深さとされ、遮光部材１７は当該深さと同じ厚さにて構成されている。その結果、透光性基板１８と遮光部材１７の表面は面一となり、保護部材１９の接着層２２との界面は平坦なものとなっている。なお、遮光部材１７の厚さよりも少なくとも大きな深さを有していれば、保護部材１９の主面の大部分を占める透光性基板１８の表面が接着層２２と接することで、後述する気泡混入防止効果を実現することができる。また、段差部１８ａは、本実施形態では側溝型に形成されているが、例えば堀型のもの等、所定の深さを有する凹部であれば、その形態は特に限定されるものではない。
【００３２】
なお、遮光部材１７は金属クロムからなるものを用いているが、その他にも、カーボンやチタンをフォトレジストに分散してなる樹脂ブラックや、ニッケル等の金属材料を用いることも可能である。或いは、低反射用として、金属クロムと酸化クロムの２層構造のものを採用することも可能である。また、透光性基板１８はアクリル樹脂の他、ウレタン樹脂やエポキシ樹脂等により構成することも可能である。
【００３３】
液晶パネル２８と保護部材１９とを接着する接着層２２は、液晶パネル２８の表示面全面にわたって形成された透明弾性樹脂であって、例えばシリコンゲル等のシリコーン樹脂、アクリル樹脂、ウレタン樹脂等の熱硬化性を有し、熱硬化後も弾性を保つことができ、可視光を十分透過する材料であって、厚さ約３０μｍで形成されている。
【００３４】
接着層２２を構成する透明弾性樹脂は、粘着性を持ち、その粘着力によって液晶パネル２８の偏光板３１、および保護部材１９の透光性基板１８に貼付することができるものとされている。さらに、透明弾性樹脂は、接着剤を用いることなく、熱硬化により液晶パネル２８および透光性基板１８に強固に接着することができる点で有利である。なお、透明弾性樹脂は、この熱硬化後も所定の弾性を保持している。このように、透明弾性樹脂は、粘着性を持つため、接着剤等を用いることなく、保護部材１９と液晶パネル２８とを密着した状態を保つことができるのである。
【００３５】
上記のような本実施形態の携帯電話機１０によれば、表示部１を構成する表示装置１ａが、液晶パネル２８の表面を保護部材１９で覆ってなる液晶装置から構成されているため、耐衝撃性に優れ、液晶パネル２８が落下時等の衝撃により損傷する等の不具合が生じ難いものとなっている。
【００３６】
また、保護部材１９に遮光部材１７を付与したため、液晶パネル２８の外環（シール材３２の形成領域付近）を好適に遮光することができるものとなっている。
しかも、遮光部材１７を透光性基板１８に設けた段差部１８ａに配設したため、遮光部材１７を設けたことに起因して、保護部材１９の表面に凸凹（段差）が形成され難いものとなる。したがって、保護部材１９と液晶パネル２８とを接着する際、その接着層２２に気泡等が混入する不具合が生じ難く、その結果、表示不良を引き起こしたり、接着力の低下を引き起こしたりする問題が生じ難いものとなっている。
【００３７】
以下、本実施形態の携帯電話機１０の表示部１の製造方法について説明する。
まず、接着層２２を構成する硬化性樹脂を液晶パネル２８の表示面全面に仮接着するとともに、該硬化性樹脂の他面側の全面を保護部材１９に仮接着する。そして、この仮接着の状態において、ゴミ等が各接着面に介在しないことを確認する。もし、ゴミ等がいずれかの接着面に介在する場合は、仮接着を剥がし、ゴミ等を除去した後、再度、仮接着する。そして、硬化性樹脂を加熱し、耐衝撃性を保つために十分な弾性を残して硬化させて、硬化性樹脂をさらに強固に液晶パネル２８および保護部材１９に接着させる。
【００３８】
ここで、本実施形態では、遮光部材１７を保護部材１９に付与しているものの、段差部１８ａに該遮光部材１７を配設しているため、該保護部材１９の接着面は凸凹がなく平坦になっており、接着層２２への気泡等の混入は極めて生じ難いものとなっている。
【００３９】
〔第２実施形態〕
以下、表示装置１ａの変形例について説明する。
図４は、表示装置１ｂの断面構成を模式的に示す図であって、表示装置１ａの図３に対応する図面である。ここで、表示装置１ｂについては、保護部材１９の構成が図３の表示装置１ａの構成と異なり、接着層２２及び液晶パネル２８については、図３の表示装置１ａと同じ構成であるため説明を省略し、保護部材１９についてのみ説明することとする。
【００４０】
表示装置１ｂでは、液晶パネル２８を保護する保護部材１９が、アクリル樹脂で形成され、可視光を十分透過し、例えば１ｍｍ〜２ｍｍ程度の厚さを有した透光性基板１８を主体として構成され、携帯時の落下衝撃等に耐えうる強度を有している。そして、該透光性基板１８の一主面であって、液晶パネル２８と対向する側の面（つまり接着層２２側の面）には機能層１５が形成されている。
【００４１】
機能層１５は、所定パターンの遮光部材１７と、該遮光部材１７により取り囲まれた透光部材１６とを具備してなり、図３に示した表示装置１ａと同様、遮光部材１７は液晶パネル２８のシール材３２を少なくとも遮光している。つまり、液晶パネル２８のシール材３２と重なる位置か、該シール材３２よりも内側（表示領域側）の位置に遮光部材１７が配設されるように、遮光部材１７がパターン配置されており、さらに遮光部材１７を含む保護部材１９と液晶パネル２８がアライメントされている。その結果、透光部材１６は、液晶パネル２８の表示領域（シール材３２の内側領域）と重畳してなり、該透光部材１６を介して液晶パネル２８の表示情報が視認可能となっている。なお、本実施形態では、遮光部材１７は液晶パネル２８の外環全部を遮光する構成とされている。
【００４２】
また、アライメントは、図６に示すように、保護部材１９の遮光部材１７に重畳する位置に形成したアライメントマーク４１と、液晶パネル２８のシール材３２に重畳する位置に形成したアライメントマーク４２とを重ね合わせることにより行うものとしている。なお、アライメント後には、液晶パネル２８の外部接続端子を有する回路基板１２は、保護部材１９から外部に剥き出しとなるものとなっている。
【００４３】
なお、本実施形態では、遮光部材１７と透光部材１６とは同じ厚さ（例えば１０μｍ）に設計されている。したがって、機能層１５の表面は面一となり、その結果、保護部材１９の接着層２２との界面は平坦なものとなっている。また、遮光部材１７は金属クロムからなるものを用いているが、その他にも、カーボンやチタンをフォトレジストに分散してなる樹脂ブラックや、ニッケル等の金属材料を用いることも可能である。或いは、低反射用として、金属クロムと酸化クロムの２層構造のものを採用することも可能である。また、透光部材１６はアクリル樹脂の他、ウレタン樹脂やエポキシ樹脂等により構成することも可能である。
【００４４】
上記のような表示装置１ｂを含む携帯電話機１０によれば、表示部１を構成する表示装置１ｂが、液晶パネル２８の表面を保護部材１９で覆ってなる液晶装置から構成されているため、耐衝撃性に優れ、液晶パネル２８が落下時等の衝撃により損傷する等の不具合が生じ難いものとなっている。
【００４５】
また、保護部材１９に遮光部材１７を付与したため、液晶パネル２８の外環（シール材３２の形成領域付近）を好適に遮光することができるものとなっている。
しかも、遮光部材１７が透光部材１６を取り囲み、該遮光部材１７と透光部材１６とからなる機能層１５が面一となるように構成したため、遮光部材１７を設けたことに起因して、保護部材１９の表面に凸凹（段差）が形成され難いものとなる。したがって、保護部材１９と液晶パネル２８とを接着する際、その接着層２２に気泡等が混入する不具合が生じ難く、その結果、表示不良を引き起こしたり、接着力の低下を引き起こしたりする問題が生じ難いものとなっている。
なお、表示装置１ｂを備える携帯電話機１０の表示部１の製造方法については、上述した第１実施形態と同様の方法を採用することができる。
【００４６】
〔第３実施形態〕
一方、図５は、表示装置１ｃの断面構成を模式的に示す図であって、表示装置１ａの図３に対応する図面である。ここで、表示装置１ｃについては、保護部材１９の構成が図３の表示装置１ａの構成と異なり、接着層２２及び液晶パネル２８については、図３の表示装置１ａと同じ構成であるため説明を省略し、保護部材１９についてのみ説明することとする。
【００４７】
表示装置１ｃでは、液晶パネル２８を保護する保護部材１９が、アクリル樹脂で形成され且つ可視光を十分透過する基板であって、例えば１ｍｍ〜２ｍｍ程度の厚さを有した透光性基板１８を主体として構成され、携帯時の落下衝撃等に耐えうる強度を有している。そして、該透光性基板１８の一主面であって、液晶パネル２８と対向する側の面（つまり接着層２２側の面）には機能層１５が形成されている。
【００４８】
機能層１５は、機能主体層１３と、該機能主体層１３上に形成された平坦化層１４とを備えて構成されている。ここで、機能主体層１３は、所定パターンの遮光部材１７、および該遮光部材１７により取り囲まれた透光部材１６を具備したフィルムであって、図３に示した表示装置１ａと同様、遮光部材１７は液晶パネル２８のシール材３２を少なくとも遮光している。
【００４９】
つまり、液晶パネル２８のシール材３２と重なる位置か、該シール材３２よりも内側（表示領域側）の位置に遮光部材１７が配設されるように、遮光部材１７がパターン配置されており、さらに遮光部材１７を含む保護部材１９と液晶パネル２８がアライメントされている。その結果、透光部材１６は、液晶パネル２８の表示領域（シール材３２の内側領域）と重畳してなり、該透光部材１６を介して液晶パネル２８の表示情報が視認可能となっている。なお、本実施形態では、遮光部材１７は液晶パネル２８の外環全部を遮光する構成とされている。
【００５０】
また、アライメントは、図６に示すように、保護部材１９の遮光部材１７に重畳する位置に形成したアライメントマーク４１と、液晶パネル２８のシール材３２に重畳する位置に形成したアライメントマーク４２とを重ね合わせることにより行うものとしている。なお、アライメント後には、液晶パネル２８の外部接続端子を有する回路基板１２は、保護部材１９から外部に剥き出しとなるものとなっている。
【００５１】
なお、本実施形態では、遮光部材１７と透光部材１６とは同じ厚さ（例えば１０μｍ）に設計されている。また、遮光部材１７は金属クロムからなるものを用いているが、その他にも、カーボンやチタンをフォトレジストに分散してなる樹脂ブラックや、ニッケル等の金属材料を用いることも可能である。或いは、低反射用として、金属クロムと酸化クロムの２層構造のものを採用することも可能である。また、透光部材１６はアクリル樹脂の他、ウレタン樹脂やエポキシ樹脂等により構成することも可能である。
【００５２】
上記のような表示装置１ｂを含む携帯電話機１０によれば、表示部１を構成する表示装置１ｂが、液晶パネル２８の表面を保護部材１９で覆ってなる液晶装置から構成されているため、耐衝撃性に優れ、液晶パネル２８が落下時等の衝撃により損傷する等の不具合が生じ難いものとなっている。
【００５３】
また、保護部材１９に遮光部材１７を付与したため、液晶パネル２８の外環（シール材３２の形成領域付近）を好適に遮光することができるものとなっている。
しかも、遮光部材１７が透光部材１６を取り囲み、該遮光部材１７と透光部材１６とからなる機能主体層１３が面一となるように構成するとともに、該機能主体層１３上に更に平坦化層１４を形成しているため、遮光部材１７を設けたとしても、保護部材１９の表面に凸凹（段差）が形成され難いものとなる。したがって、保護部材１９と液晶パネル２８とを接着する際、その接着層２２に気泡等が混入する不具合が生じ難く、その結果、表示不良を引き起こしたり、接着力の低下を引き起こしたりする問題が生じ難いものとなっている。なお、表示装置１ｂを備える携帯電話機１０の表示部１の製造方法については、上述した第１実施形態と同様の方法を採用することができる。
【００５４】
以上、本発明の幾つかの実施形態を説明したが、本発明は各実施形態に限定されるものではなく、本発明の要旨の範囲内または特許請求の範囲の均等範囲内で各種の変形実施が可能である。
【００５５】
例えば、本実施形態では、表示装置１ａを構成する電気光学装置として液晶装置を用いた例を示したが、該表示装置１ａを構成する電気光学装置としては、例えば有機ＥＬ装置の他、プラズマディスプレイ装置、電気泳動装置、電子放出素子を用いた装置等を用いることも可能である。
【００５６】
また、上記各実施形態では、保護部材１９に遮光部材１７を形成して、液晶パネル２８の外環の一部又は全部を遮光するものとしているが、例えば遮光部材１７として所定のカラー部材を用い、これを所定パターンに形成した段差部１８ａに配設すれば、保護部材１９を介して眺める表示部１に遮光部材１７のパターン形状に基づく装飾を実現することが可能となる。
【００５７】
さらに、上記各実施形態では、電子機器として携帯電話機の例を示したが、本発明の保護部材を備える電気光学装置を具備した電子機器は、時計、ページャ、ＰＤＡ、電子手帳、ノートパソコン、電卓、ＰＯＳ端末、ＩＣカード、ミニディスクプレーヤなどを含むさまざまな電子機器に適用することができる。
【図面の簡単な説明】
【００５８】
【図１】携帯電話の全体構成を模式的に示す斜視図。
【図２】携帯電話の表示部付近の断面構成を模式的に示す断面図。
【図３】表示部に具備された表示装置の断面構成を模式的に示す断面図。
【図４】表示装置の一変形例について、その断面構成を模式的に示す断面図。
【図５】表示装置の一変形例について、その断面構成を模式的に示す断面図。
【図６】液晶パネルと保護部材のアライメントについて示す説明図。
【図７】携帯電話の筐体への表示装置の取付態様について一変形例を模式的に示す断面図。
【符号の説明】
【００５９】
１０…携帯電話機（電子機器）、１４…筐体、１７…遮光部材、１８…透光性基板、１８ａ…段差部（凹部）、１９…保護部材、２８…液晶パネル（電気光学パネル）、３０…基板、３４…液晶（電気光学層）
【図１】
2007086290.tif 000003
【図２】
2007086290.tif 000004
【図３】
2007086290.tif 000005
【図４】
2007086290.tif 000006
【図５】
2007086290.tif 000007
【図６】
2007086290.tif 000008
【図７】
2007086290.tif 000009